(57)【要約】【課題】フード部のシール箇所を保護することができ、かつシール部品等を容易に装着することができるようにする。【解決手段】雄コネクタのフード部２の先端には突き当て面６が形成され、奥方にはテーパ面を介して平滑なシール面１０が形成されている。雌ハウジングの端子収容部１３の奥部には雌雄のコネクタが嵌合したときに突き当て面６によって圧縮状態で突き当てられるパッド部材５が装着されている。端子収容部１３においてパッド部材５の前方には、パッド部材５とは別体でシール面１０に水密に密着するシール本体部材１４が装着される。【選択図】図４
2018067466.tif 000002
【特許請求の範囲】
【請求項１】
雄端子金具を収容し前方へ開口するフード部を有し、このフード部の開口端面には突き当て面が形成され、前記フード部の内周面において前記突き当て面より奥には前方へ向けて拡開するテーパ面が形成され、さらにこのテーパ面より奥部にはシール面が形成された雄ハウジングを有する雄コネクタと、
雌端子金具が収容される端子収容部とこの端子収容部を包囲しつつ先端側へ開口して前記端子収容部との間に前記フード部が嵌合する嵌合空間が保有される外筒部とを備えた雌ハウジングと、前記端子収容部の奥部に装着され前記雌雄のハウジングが嵌合したときに前記フード部の前記突き当て面にて圧縮状態で突き当てられるゴム製でかつ環状に形成されたパッド部材と、前記パッド部材とは別体に形成されるとともに、前記パッド部材より前方に離間した位置において前記端子収容部の外周面に嵌着され、前記雌雄のハウジングが嵌合したときに前記フード部のシール面とシール状態で密着するゴム製のシール本体部材とを有した雌コネクタとを備えていることを特徴とする防水コネクタ。
【請求項２】
前記パッド部材は表裏対称形状に形成されていることを特徴とする請求項１に記載の防水コネクタ。
【請求項３】
前記シール本体部材は表裏対称形状に形成されていることを特徴とする請求項１又は請求項２に記載の防水コネクタ。
【発明の詳細な説明】
【技術分野】
【０００１】
本発明は、防水コネクタに関するものである。
【背景技術】
【０００２】
下記特許文献１に開示された防水コネクタにおいて、雄コネクタのハウジングにはフード部が形成されている。一方、雌コネクタのハウジングは、端子収容部と端子収容部を包囲する外筒部とを有している。雄コネクタのフード部は、端子収容部と外筒部との間に嵌合可能である。雌コネクタにおいて、端子収容部の奥部にはリング状に形成されたゴム製の防水シールが嵌め付けられている。
【０００３】
防水シールは、側面にシールリップが形成されたシール部とシール部の後端に外方へ張り出すようにして設けられたパッド部とから形成されている。雌雄のコネクタが嵌合すると、シール部のシールリップがフード部の内周面と水密状態で密着して、雌雄コネクタ間をシール状態に保持する。また、このときには、フード部の先端がパッド部に突き当てられるようになっていて、雌雄コネクタが嵌合方向へがたつくのを抑制するようにしている。
【先行技術文献】
【特許文献】
【０００４】
【特許文献１】特開２００７−８０７３７号公報
【発明の概要】
【発明が解決しようとする課題】
【０００５】
従来のものの場合、フード部においてシールリップが密着する部位は、フード部の先端からやや奥部へ入り込んだところに設定されている。フード部の内周面のうちシールリップとの密着部位はシール性確保のために、平滑な磨き面とされることがある。こうした磨き面は異物（指等）に触れると傷がついてしまいシール性が低下してしまうことが懸念される。その対策として、シールリップとの密着部位をフード部の開口縁からできるだけ奥部に設定することが考えられる。
【０００６】
そのような対策を採った場合、想定される防水シールはパッド部とシールリップの形成部とが前後方向に大きく離間した形態となる。より具体的には、シールパッド部とシールリップの形成部とが前後方向に長い連結部を介して連結された形態である。
しかし、連結部が長くなった形態では、防水シールを押し込んで装着する際に連結部で座屈を生じやすくなり、装着作業を困難なものにする、という問題を生じる。
【０００７】
本発明は上記のような事情に基づいて完成されたものであって、フード部のシール箇所を保護することができ、かつシール部品等を容易に装着することができる防水コネクタを提供することを目的とする。
【課題を解決するための手段】
【０００８】
本発明の防水コネクタは、雄端子金具を収容し前方へ開口するフード部を有し、このフード部の開口端面には突き当て面が形成され、前記フード部の内周面において前記突き当て面より奥には前方へ向けて拡開するテーパ面が形成され、さらにこのテーパ面より奥部にはシール面が形成された雄ハウジングを有する雄コネクタと、雌端子金具が収容される端子収容部とこの端子収容部を包囲しつつ先端側へ開口して前記端子収容部との間に前記フード部が嵌合する嵌合空間が保有される外筒部とを備えた雌ハウジングと、前記端子収容部の奥部に装着され前記雌雄のハウジングが嵌合したときに前記フード部の前記突き当て面にて圧縮状態で突き当てられるゴム製でかつ環状に形成されたパッド部材と、前記パッド部材とは別体に形成されるとともに、前記パッド部材より前方に離間した位置において前記端子収容部の外周面に嵌着され、前記雌雄のハウジングが嵌合したときに前記フード部のシール面とシール状態で密着するゴム製のシール本体部材とを有した雌コネクタとを備えていることを特徴とする。
【発明の効果】
【０００９】
本発明によれば、パッド部材とシール本体部材とが別体に構成されているため、これらの前後間隔を広くとることができる。したがって、その分、雄コネクタハウジングのフード部においてシール面をより奥部に設定することができるため、シール面の保護に寄与する。また、パット部材とシール本体部材とを別個に端子収容部に装着することができるため、装着作業を楽に行うことができる。
【図面の簡単な説明】
【００１０】
【図１】防水コネクタの正面図である。
【図２】図１のＡ−Ａ線の断面図であり、雌雄のコネクタが浅く嵌合した状態を示している。
【図３】同じく雌雄のコネクタが正規に嵌合した状態を示す断面図である。
【図４】パッド部材を示す斜視図である。
【発明を実施するための形態】
【００１１】
本発明における好ましい実施の形態を説明する。
（１）本発明の防水コネクタは、前記パッド部材が表裏対称形状に形成されるようにすると良い。
従来のように、パッド部材とシール本体部材とが一体化されていれば、作業者が表裏反転して誤装着する虞はないが、本発明のようにバッド部材が単体の部材となった場合には、その虞が生じる。そこで、上記のように、パッド部材を表裏対称形状にしておけば、表裏いずれの向きでも正規装着が可能となる。
（２）また、前記シール本体部材が表裏対称形状に形成されるようにしてもよい。
シール本体部材も表裏対称形状としておけば、端子収容部に対し表裏何れの向きでも正規装着が可能である。
【００１２】
＜実施例＞
次に、本発明の防水コネクタを具体化した実施例について、図面を参照しつつ説明する。
防水コネクタは、相互に嵌合可能な雌雄のコネクタＦ、Ｍによって構成されている。雄コネクタＭの雄ハウジング１は、図２等に示すように、前方へ開口する略角筒状のフード部２を有している。フード部２の内部には複数本の雄タブ３が並列して設けられている。また、フード部２における上面の開口縁寄りであって幅方向の中央部にはロック凸部４が形成されている。フード部２の先端面は後述するパッド部材５に対する突き当て面６が切り立った状態で形成されている。また、フード部２の内周面における開口縁部には前方へ向けて拡開する第１テーパ面７が全周に亘って形成されている。
フード部２の内周面において第１テーパ面７は水平面８と連続し、さらにこの水平面８の奥部には第２テーパ面９が連続している。第２テーパ面９の奥部はシール面１０が形成され、後述する雌コネクタＦ側におけるシール本体部材１４のシールリップ１１と密着可能である。このシール面１０は平滑に磨きをかけられた磨き面である。シール面１０は、少なくともシールリップ１１の前後方向に関する形成範囲より若干広い範囲を有し、全周に亘って略帯状の領域に形成されている。
雌コネクタＦのハウジング１２は、雌端子金具（図示しない）を収容するための端子収容部１３とこの端子収容部１３を略包囲する外筒部１５とから構成されている。端子収容部１３と外筒部１５との間はフード部２が嵌合する嵌合空間Ｓとなっている。
図１に示すように、端子収容部１３には幅方向に沿って４室のキャビティ１６が設けられている。各キャビティ１６は前後方向に貫通して形成され、それぞれの内部には図示しない雌端子金具がシール状態で収容されている。端子収容部１３の前部には雌端子金具の抜け止めと後述するシール本体部材１４の抜け止めを行うためのリテーナ１７が装着されている。図３等に示すように、リテーナ１７が端子収容部１３に装着された状態では、リテーナ１７は外筒部１５から前方へ突出した状態となっている。なお、リテーナ１７には各キャビティ１６と連通する窓部が開口している。
【００１３】
外筒部１５の上部は前端部を除き上方へ開放して形成されている。前端の開放部分は接続片１８によって連結されている。端子収容部１３の上面であって、外筒部１５が開放する部位にはロックアーム１９が形成されている。ロックアーム１９の下面には長さ方向の中央部に支持脚２０が形成され、端子収容部１３の後部に連結されている。ロックアーム１９は支持脚２０から前法及び後方へ延出している。ロックアーム１９は支持脚２０を支点として上下方向へシーソー状に撓み可能である。ロックアーム１９の先端にはロック部２１が形成されている。ロックアーム１９は、雌雄コネクタＦ、Ｍが嵌合する過程で雄コネクタＭ側のロック凸部４に乗り上げるよう撓み変形し、嵌合完了に伴ってロック凸部４を乗り越えて弾性復帰して、ロック部２１とロック凸部４とが係止する結果、雌雄コネクタＦ、Ｍが嵌合状態でロックされる。
【００１４】
端子収容部１３の奥部には、図４に示すようなパッド部材５が配されている。パッド部材５はゴム材により長円の略平板のリング状に形成されており、端子収容部１３の外周面に密着して嵌め付けられ、雌ハウジング１２の奥壁２２に一部が当接されている。端子収容部１３の外周面であって、奥壁２２から僅かに前方の位置には抜け止め突起２３が複数個所に突出形成され、パッド部材５の前面に係止してパッド部材５の抜け止めを行っている。
【００１５】
パッド部材５は表裏及び上下が対称形状に形成され、表裏及び上下が反転した状態であっても端子収容部１３への装着が可能である。パッド部材５の表裏両面であって両長辺部の中央部には逃がし凹部２４が形成されている。図１に示すように、この逃がし凹部２４はロックアーム１９の下面側の幅よりやや広めに形成され、ロックアーム１９の先端側が下方へ傾斜したときにロックアーム１９との干渉を回避することができる。
図４に示すように、パッド部材５の表裏両面には複数の突き当て突起２５、２６が突出形成されている。突き当て突起２５、２６はパッド部材５の表裏及び上下で対称の配置となっている。各突き当て突起２５、２６において逃がし凹部２４に対応する位置に形成されたもの（長尺突き当て突起２５）は、他の突き当て突起（短尺突き当て突起２６）より長めに形成され、逃がし凹部２４を跨ぐようにして形成されている。短尺突き当て突起２６は、長尺突き当て突起２５を幅方向に挟んだ位置と、パッド部材５の各コーナ部にそれぞれ配されている。図３に示すように、いずれの突き当て突起２５、２６も雌雄のコネクタＦ、Ｍが正規に嵌合したときにフード部２の先端が突き当てられて圧縮方向（前後方向）に弾性変形するようにしてある。このことにより、雌雄コネクタＦ、Ｍは前後方向に関するがた付きが規制される。
【００１６】
端子収容部１３には、パッド部材５より前方においてパッド部材５とは別体に形成されたゴム製のシール本体部材１４が装着されている。図３に示すように、端子収容部１３の外面であって、抜け止め突起２３が形成されている位置より前方にはシール本体部材１４を装着するための装着部２７が形成されている。装着部２７は、その奥側より一段小さくなって段差状に形成されている。シール本体部材１４は装着部２７に嵌め付けられ、後端は段差面２８に押し当てられている。
シール本体部材１４の前方には前記したリテーナ１７が装着されており、このリテーナ１７の後端面がシール本体部材１４の前面に対向することで、シール本体部材１４の抜け止めがなされている。
【００１７】
シール本体部材１４は端子収容部１３の外周に適合するリング状に形成され、外周面には前後二条のシールリップ１１が形成されている。これらは全周に亘って突出形成されている。雌雄のコネクタＦ、Ｍが正規嵌合すると、両シールリップ１１は雄コネクタＭにおけるフード部２のシール面１０によって圧縮変形される。これにより、雌雄のコネクタＦ、Ｍ間がシール状態に保持される。シール本体部材１４も、パッド部材５と同様、表裏及び上下がそれぞれ対称形形状に形成され、端子収容部１３の装着部に対し表裏及び上下が反転した状態でも正規に装着することができる。
【００１８】
次に、上記のように構成された本実施例の作用効果を説明する。本実施例では、従来と異なり、パッド部材５とシール本体部材１４とが別体に形成されているため、雌ハウジングに対する装着も別個になされる。パッド部材５は、リテーナ１７が端子収容部１３に装着される前に、前方から嵌め入れられ後方へ真っ直ぐに押し込まれる。パッド部材５は、各抜け止め突起２３を乗り越えて各抜け止め突起２３と係止することによって抜け止めがされ、かつ背面側は奥壁２２に当接する。
【００１９】
続いて、シール本体部材１４を端子収容部１３の前方から嵌め入れ、後方へ真っ直ぐに押し込む。この際、シール本体部材１４はやや拡張変形した状態で嵌め入れられ、背面が段差面２８に当接するようにしておく。その後、端子収容部１３の前端部にリテーナ１７が装着されると、リテーナ１７の後面がシール本体部材１４の前端面に対向してシール本体部材１４の抜け止めがなされる。なお、各キャビティ１６に対する雌端子金具の挿入作業は、リテーナ１７が正規位置に装着される前になされ、挿入後にリテーナが１７が正規位置に装着されると、雌端子金具が正規状態で抜け止めされる。
【００２０】
こうして雌コネクタＦの組み立てがなされると、雌雄のコネクタＦ、Ｍの嵌合がなされる。すなわち、図２に示すように、フード部２をリテーナ１７を介して嵌合空間Ｓへ嵌め入れる。この際には、第１、第２のテーパ面７、９によって雌雄コネクタＦ、Ｍが合芯するよう案内されるため、円滑な嵌合が可能となる。そして、嵌合が進むにつれて、ロックアーム１９のロック部２１がフード部２のロック凸部４へ乗り上げる。このときには、ロックアーム１９は支持脚２０を中心に揺動し、雌雄コネクタＦ、Ｍが正規嵌合すると、ロック部２１がロック凸部４を通過してロックアーム１９は復帰変形する。その結果、ロック凸部４とロック部２１とが係止するため、雌雄のコネクタＦ、Ｍは正規の嵌合状態にロックされる。
【００２１】
図４に示すように、雌雄のコネクタＦ、Ｍが正規嵌合されている状態では、フード部２の突き当て面６がパッド部材５の各突き当て突起２５、２６を圧縮しつつ突き当てられる。このため、雌雄のコネクタＦ、Ｍは前後方向へのがたつきが規制される。したがって、車両の振動が雌雄のコネクタＦ、Ｍに伝わっても、雌雄の端子金具同士が前後方向に微摺動することが抑制され、接点同士の摩耗を有効に回避することができる。
【００２２】
また、正規嵌合状態では、フード部２のシール面１０がシール本体部材１４のシールリップ１１に弾性的に密着しているため、これによって雌雄コネクタＦ、Ｍ間の防水が図られる。
【００２３】
ところで、本実施例においては、フード部２の内周面には先端側から順に、第１テーパ面７、水平面８、及び第２テーパ面９を介してシール面１０が設けられている。このため、シール面１０は、従来よりもフード部２の奥方に引っ込んだ位置に配されているため、シール面１０が異物によって傷付けられてしまう事態を有効に回避することができる。
【００２４】
本実施例では、上記したように、シール面１０と突き当て面６との間が前後方向に比較的大きく離間することに伴って、パッド部材５とシール本体部材１４の配置関係も前後方向に大きく離間することになる。仮に、パッド部材５とシール本体部材１４とが従来のように一体化されたシール部品の形態を考慮する場合、パッド部材５とシール本体部材１４とは長い連結片を介して接続されることになる。しかし、そのような形態では、シール部品を端子収容部１３に装着するときに、腰の弱い連結片部分で座屈してしまい、装着作業が困難になってしまう虞がある。その点、本実施例のように、シール部品がパッド部材５とシール本体部材１４とを別体の二部品構成となっていれば、これらを個別に端子収容部１３へ装着することができる。したがって、装着作業中に座屈の虞はなく、円滑に作業を行うことができる。
【００２５】
また、従来のように一体構造のシール部品の場合には、雌雄コネクタＦ、Ｍを離間させる際に、フード部２との摩擦力によって引き連れられてシール部品全体が脱落してしまう虞があるが、本実施例では少なくともパッド部材５は装着位置に維持され、揃って脱落してしまうことはない。
【００２６】
さらに、別体構成にした場合は、正規向きとは反転した誤装着が懸念されるが、本実施例ではシール本体部材１４もパッド部材５も共に表裏及び上下が対称に形成されているため、いずれの向きでも正規装着が可能となり、使い勝手がよくなる。
【００２７】
＜他の実施例＞
本発明は上記記述及び図面によって説明した実施例に限定されるものではなく、例えば次のような実施例も本発明の技術的範囲に含まれる。
（１）上記実施例では、パッド部材５に複数の突き当て突起を形成した形態をしたが、突き当て突起を持たない平板状の形態であってもよい。
（２）上記実施例では、フード部２の先端部に第１、第２のテーパ面を二段階に形成したが、一つのテーパ面によってシール面１０と連続するようにしてもよい。
【符号の説明】
【００２８】
２…フード部
３…雄タブ（雄端子金具）
５…パッド部材
６…突き当て面
７…第１テーパ面
９…第２テーパ面
１０…シール面
１４…シール本体部材
Ｆ…雌コネクタ
Ｍ…雄コネクタ
【図１】
2018067466.tif 000003
【図２】
2018067466.tif 000004
【図３】
2018067466.tif 000005
【図４】
2018067466.tif 000006